【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
ハウジングと、
該ハウジングの端部に設けられて止具を射出するノーズ部と、
該ハウジング若しくは該ノーズ部に設けられ該止具の射出方向と直交する方向に延びる回動軸部に枢支され、該回動軸部回りに回動するトリガレバーと、
起動されて該止具の射出動作を開始させる起動部と、
該トリガレバーに該回動軸部と平行な軸で枢支され該回動軸部の軸方向と直交する方向に進退すると共に、該トリガレバーの回動動作に応じて該起動部と当接し該起動部を起動させるトリガアームと、
該射出方向と平行移動可能に該ノーズ部から該トリガレバー近傍位置まで跨って配置され、該トリガアームに対して係合・非係合の状態を採ると共に、該トリガアームと係合した状態で該起動部を起動可能な位置に該トリガアームを移動させるコンタクトアームと、
該コンタクトアームを反射出方向へ付勢する付勢手段と、
該トリガアームを該回動軸部側に付勢する付勢部と、
該回動軸部及び該回動軸部近傍に設けられた切換機構と、を備え、
該トリガアームは、該切換機構と該付勢部とによって該回動軸部に近接した第一進退領域と該回動軸部から離間した第二進退領域とに選択的に進退移動され、
該トリガアームと該コンタクトアームとは、該トリガアームが該第一進退領域に位置する状態において該トリガレバーの回動動作後も該トリガアームと該コンタクトアームとが係合し、該トリガアームが該第二進退領域に位置する状態において該トリガレバーの回動動作後に該トリガアームと該コンタクトアームとの係合が解かれる位置に配置されていることを特徴とする打込機。
【請求項２】
該起動部は該トリガレバーの回動操作に応じて該トリガアームに押し込まれるプランジャを有し、
該プランジャと該トリガアームとには、該トリガアームが該第二進退領域に位置した状態で互いに係合する係合部と被係合部とがそれぞれ設けられていることを特徴とする請求項1に記載の打込機。
【請求項３】
該切換機構は、回転部と切換アームと押圧部とを備えて構成され、
該回転部は該回動軸部と平行な回転軸回りに回転操作されると共に該回転部の周面の一部が切り欠かれた凹部が形成され、
該切換アームは該回動軸部を軸として揺動可能に構成され、該凹部内に挿入されると共に該回転部の回転に応じて該凹部内から排出されて該回転部の回転運動を揺動運動に変換する揺動変換部と、概揺動変換部の揺動に応じて該トリガアームに当接し該トリガアームを該第一進退領域から該第二進退領域に向けて移動させる当接部と、を有し、
該押圧部は該トリガアームが該押圧部の付勢力に抗って移動するように該切換アームを付勢することを特徴とする請求項１または請求項２のいずれか一に記載の打込機。
【請求項４】
該トリガレバーと該回転部とは、該トリガレバーの回動軌跡が該回転部の一部と干渉する位置に配置され、
該回転部には、該回動軌跡と干渉する位置に該トリガレバーが通過可能な切欠が形成されていることを特徴とする請求項３に記載の打込機。
【請求項５】
ハウジングと、
該ハウジングの端部に設けられて止具を射出するノーズ部と、
該ハウジング若しくは該ノーズ部に設けられ該止具の射出方向と直交する方向に延びる回動軸部に枢支され、該回動軸部回りに回動するトリガレバーと、
第一領域と第二領域との間で移動可能なプランジャを有すると共に該プランジャが押し込まれて該第二領域から該第一領域まで移動して該止具の射出を開始させる起動部と、
該トリガレバーに該回動軸部と平行な軸部で枢支されて該軸部回りに回動可能に構成され、該トリガレバーの回動動作に応じて該プランジャを押し込むトリガアームと、
該射出方向と平行移動可能に該ノーズ部から該トリガレバー近傍位置まで跨って配置され、該トリガアームと係合して該プランジャを押し込める位置に該トリガアームを移動させるコンタクトアームと、
該コンタクトアームを反射出方向へ付勢する付勢手段と、を有し、
該トリガアームは、自由端が該回動軸部の周面に掛止されると共に該自由端と該軸部との間で該プランジャに当接し、
該回転軸部は略円柱状に構成され軸回りに回転可能であると共に該トリガアームが掛止する該周面の一部が切り欠かれた凹部が形成され、
該プランジャは、該トリガレバーが回動動作すると共に該自由端が該周面に掛止した状態において該トリガアームにより押し込まれて常に第一領域に位置し、該トリガレバーが回動動作すると共に該自由端が該凹部内に掛止した状態において該トリガアームにより第二領域に位置することを特徴とする打込機。
【手続補正２】
【補正対象書類名】明細書
【補正対象項目名】０００８
【補正方法】変更
【補正の内容】
【０００８】
上記課題を解決するために本発明は、ハウジングと、該ハウジングの端部に設けられて止具を射出するノーズ部と、該ハウジング若しくは該ノーズ部に設けられ該止具の射出方向と直交する方向に延びる回動軸部に枢支され、該回動軸部回りに回動するトリガレバーと、起動されて該止具の射出動作を開始させる起動部と、該トリガレバーに該回動軸部と平行な軸で枢支され該回動軸部の軸方向と直交する方向に進退すると共に、該トリガレバーの回動動作に応じて該起動部と当接し該起動部を起動させるトリガアームと、該射出方向と平行移動可能に該ノーズ部から該トリガレバー近傍位置まで跨って配置され、該トリガアームに対して係合・非係合の状態を採ると共に、該トリガアームと係合した状態で該起動部を起動可能な位置に該トリガアームを移動させるコンタクトアームと、該コンタクトアームを反射出方向へ付勢する付勢手段と、該トリガアームを該回転軸部側に付勢する付勢部と、該回動軸部及び該回動軸部近傍に設けられた切換機構と、を備え、該トリガアームは、該切換機構と該付勢部とによって該回動軸部に近接した第一進退領域と該回動軸部から離間した第二進退領域とに選択的に進退移動され、該トリガアームと該コンタクトアームとは、該トリガアームが該第一進退領域に位置する状態において該トリガレバーの回動動作後も該トリガアームと該コンタクトアームとが係合し、該トリガアームが該第二進退領域に位置する状態において該トリガレバーの回動動作後に該トリガアームと該コンタクトアームとの係合が解かれる位置に配置されている打込機を提供する。
【手続補正３】
【補正対象書類名】明細書
【補正対象項目名】００１６
【補正方法】変更
【補正の内容】
【００１６】
また上記課題を解決するために、ハウジングと、該ハウジングの端部に設けられて止具を射出するノーズ部と、該ハウジング若しくは該ノーズ部に設けられ該止具の射出方向と直交する方向に延びる回動軸部に枢支され、該回動軸部回りに回動するトリガレバーと、第一領域と第二領域との間で移動可能なプランジャを有すると共に該プランジャが押し込まれて該第二領域から該第一領域まで移動して該止具の射出を開始させる起動部と、該トリガレバーに該回動軸部と平行な軸部で枢支されて該軸部回りに回動可能に構成され、該トリガレバーの回動動作に応じて該プランジャを押し込むトリガアームと、該射出方向と平行移動可能に該ノーズ部から該トリガレバー近傍位置まで跨って配置され、該トリガアームと係合して該プランジャを押し込める位置に該トリガアームを移動させるコンタクトアームと、該コンタクトアームを反射出方向へ付勢する付勢手段と、を有し、該トリガアームは、自由端が該回動軸部の周面に掛止されると共に該自由端と該軸部との間で該プランジャに当接し、該回転軸部は略円柱状に構成され軸回りに回転可能であると共に該トリガアームが掛止する該周面の一部が切り欠かれた凹部が形成され、該プランジャは、該トリガレバーが回動動作すると共に該自由端が該周面に掛止した状態において該トリガアームにより押し込まれて常に第一領域に位置し、該トリガレバーが回動動作すると共に該自由端が該凹部内に掛止した状態において該トリガアームにより第二領域に位置する打込機を提供する。